(57)【要約】  一価（アルコール、アルカン）、二価（ジオール、グリコール、アルカンジオール）、三価（トリオール、グリセリン）、多価（価数制限無し）アルコール、セルロースの複合完全及び／又は不完全ニトレート（ニトロエステル）のほか、ニトロアミン（ニトラミン）、アジド（アゾイミド）、ニトロ化合物及び混合基を有する組成物（物質）、並びにそれらの混合物を基にした駆動力の新規動力システムのための、有機及び無機酸及びそれらの塩のクラスから選ばれる、意図的にそれらの熱力学（熱化学）パラメーター（特徴）、機械、物理、化学、生化学的性質を調整する万能調整剤。  有機及び無機化合物の範囲から選ばれる発明的調整剤は、爆薬、例えばそれを基にしたガス発生組成物、ロケット燃料及び火薬の熱力学パラメーター並びに物理的、化学的及び生化学的性質を調整することができる。
2010506821.tif 000002
【特許請求の範囲】
【請求項１】
一価、二価、三価又は多価アルコールの複合完全又は不完全ニトレート、ニトロセルロース、ニトロアミン、アジド、ニトロベンゼン、ニトロアニリン、ニトロアルカン及びそれらの混合物の範囲の爆薬用調整剤であって、以下の群、すなわちオルトホウ酸、リン酸、オルトリン酸から選ばれる無機酸、又は以下の群、すなわち２−ニトロ安息香酸、３−ニトロ安息香酸、４−ニトロ安息香酸、又は式（１）：
【化１】
2010506821.tif 000029
［式中、Ｒ＝−Ｈ、−ＯＨ、−ＣＯＯＨ、−ＣＯＯＮａ、
Ｒ１＝−Ｈ、−ＯＨ、−ＣＯＯＨ、−ＣＯＯＮＨ４、−ＣＯＯＮａ、
Ｒ２＝−Ｈ、−ＯＨ、−ＣＯＯＨ、−ＣＯＯＮａ、及び
【化２】
2010506821.tif 000030
｛Ｒ１及びＲは上記の値を有する｝］
又は式（２）：
【化３】
2010506821.tif 000031
［式中、Ｒ＝−ＯＨ、−ＯＫ、−ＯＮＨ４、−ＯＮａ、
Ｒ１＝単結合又は−Ｃ２Ｈ４、
Ｒ２＝不在又はＨ２Ｏ又は２Ｈ２Ｏ］
を有する組成物から選ばれる有機酸である調整剤。
【請求項２】
式（１）を有し、Ｒ＝−ＯＨ、Ｒ１＝−ＣＯＯＨ、Ｒ２＝
【化４】
2010506821.tif 000032
の組成物が５，５’−メチレンジサリチル酸である、請求項１に記載の調整剤。
【請求項３】
式（１）を有し、Ｒ＝−ＯＨ、Ｒ１＝−ＣＯＯＮＨ４、Ｒ２＝
【化５】
2010506821.tif 000033
の組成物が５，５’−メチレンジサリチル酸のジアンモニウム塩である、請求項１に記載の調整剤。
【請求項４】
式（１）を有し、Ｒ＝−ＣＯＯＨ、Ｒ１＝−ＣＯＯＨ、Ｒ２＝−Ｈの組成物がオルトフタル酸である、請求項１に記載の調整剤。
【請求項５】
式（１）を有し、Ｒ＝Ｈ、Ｒ１＝−ＣＯＯＨ、Ｒ２＝−ＣＯＯＨの組成物がイソフタル酸である、請求項１に記載の調整剤。
【請求項６】
式（１）を有し、Ｒ＝−ＣＯＯＨ、Ｒ１＝Ｈ、Ｒ２＝−ＣＯＯＨの組成物がテレフタル酸である、請求項１に記載の調整剤。
【請求項７】
式（１）を有し、Ｒ＝−ＣＯＯＮａ、Ｒ１＝Ｈ、Ｒ２＝−ＣＯＯＮａの組成物がテレフタル酸のジナトリウム塩である、請求項１に記載の調整剤。
【請求項８】
式（１）を有し、Ｒ＝Ｈ、Ｒ１＝−ＣＯＯＮａ、Ｒ２＝−ＣＯＯＮａの組成物がメタフタル酸のジナトリウム塩である、請求項１に記載の調整剤。
【請求項９】
式（１）を有し、Ｒ＝−ＣＯＯＨ、Ｒ１＝−ＯＨ、Ｒ２＝−Ｈの組成物がサリチル酸である、請求項１に記載の調整剤。
【請求項１０】
式（１）を有し、Ｒ＝−ＯＨ、Ｒ１＝−ＣＯＯＮａ、Ｒ２＝−Ｈの組成物がサリチル酸のナトリウム塩である、請求項１に記載の調整剤。
【請求項１１】
式（１）を有し、Ｒ＝−ＣＯＯＨ、Ｒ１＝−Ｈ、Ｒ２＝−Ｈの組成物が安息香酸である、請求項１に記載の調整剤。
【請求項１２】
式（１）を有し、Ｒ＝−ＣＯＯＮａ、Ｒ１＝−Ｈ、Ｒ２＝−Ｈの組成物が安息香酸のナトリウム塩である、請求項１に記載の調整剤。
【請求項１３】
式（１）を有し、Ｒ＝−ＣＯＯＨ、Ｒ１＝−Ｈ、Ｒ２＝−ＯＨの組成物がパラ−オキシ安息香酸である、請求項１に記載の調整剤。
【請求項１４】
式（１）を有し、Ｒ＝−Ｈ、Ｒ１＝−ＣＯＯＨ、Ｒ２＝−ＯＨの組成物がメタ−オキシ安息香酸である、請求項１に記載の調整剤。
【請求項１５】
式（２）を有し、Ｒ＝−ＯＨ、Ｒ１＝単結合、Ｒ２−不在の組成物がシュウ酸である、請求項１に記載の調整剤。
【請求項１６】
式（２）を有し、Ｒ＝−ＯＨ、Ｒ１＝単結合、Ｒ２＝２Ｈ２Ｏの組成物がシュウ酸２水和物である、請求項１に記載の調整剤。
【請求項１７】
式（２）を有し、Ｒ＝−ＯＫ、Ｒ１＝単結合、Ｒ２−不在の組成物がレモン塩である、請求項１に記載の調整剤。
【請求項１８】
式（２）を有し、Ｒ＝−ＯＮａ、Ｒ１＝単結合、Ｒ２−不在の組成物がシュウ酸ナトリウムである、請求項１に記載の調整剤。
【請求項１９】
式（２）を有し、Ｒ＝−ＯＮＨ４、Ｒ１＝単結合、Ｒ２−不在の組成物がシュウ酸アンモニウムである、請求項１に記載の調整剤。
【請求項２０】
式（２）を有し、Ｒ＝−ＯＨ、Ｒ１＝−Ｃ２Ｈ４、Ｒ２−不在の組成物がコハク酸である、請求項１に記載の調整剤。
【請求項２１】
三硝酸グリセロール、硝酸メチル、硝酸エチル、二硝酸エチレングリコール、二硝酸プロピレングリコール、マンニトールヘキサニトレート、モノクロロヒドリンジニトレート、ペンタエリスリトールテトラニトレートの範囲の爆薬のための調整剤である、請求項１に記載の調整剤。
【請求項２２】
ニトロイソブチルグリセリントリニトレート又はジエタノール−Ｎ−ニトロアミンジニトレート、ジグリセリンテトラニトレート又はジエチレングリコールジニトレートのいずれかの範囲の爆薬のための調整剤である、請求項１に記載の調整剤。
【請求項２３】
セルロースのトリニトレートの調整剤である、請求項１に記載の調整剤。
【請求項２４】
エチレン−Ｎ，Ｎ−ジニトラミン又はニトログアニジン、又はニトロウレア、又はＮ，Ｎ’−ビス（ｂ，ｂ，ｂ  トリニトロエチル）カルバミド、又はＮ，Ｎ’−ビス（ｂ，ｂ，ｂ  トリニトロエチル）ウレア、又はＮ−ニトロアニリン、又は４−ニトロフェニル−Ｎ−メチルニトロアミン、又は２，４−ジ−ニトロ−Ｎ−メチルアニリン、又は２，４−ジ−ニトロフェニル−Ｎ−メチルニトロアミン、又はＮ−メチル−２，４，６−トリニトロアニリン、又はＮ−メチル−Ｎ，２，４，６−テトラニトロアニリン、又はＮ−メチル−Ｎ，２，４，６−テトラニトロアニリン、又は２，４，６−トリニトロアニリンの範囲の爆薬のための調整剤である、請求項１に記載の調整剤。
【請求項２５】
２，４，６−トリニトロフェノール、又は２，４，６−トリニトロクロロベンゼン、又は２，４，６−トリニトロレゾルシン、又は２，４，６−トリニトロアニソール、又は１，３−ジアミノ−２，４，６−トリニトロベンゼン、又は１，３，５−トリアミノ−２，４，６−トリニトロベンゼン、又は２，４，６−ＴＮＴ、又はトリニトロクレオソール、又は１，３，５−トリニトロベンゼン、又は１−メチル−３−ｔｅｒｔ−ブチル−２，４，６−トリニトロベンゼン、又は１，３−ジメチル−５−ｔｅｒｔ−ブチル−２，４，６−トリニトロベンゼン、又は２，４，６−トリニトロ−メタ−キシレン、又はテトラニトロベンゼンの異性体の範囲の爆薬のための調整剤である、請求項１に記載の調整剤。
【請求項２６】
１，３，５−トリニトロ−１，３，５−トリアザシクロヘキサン又は１，３，５，７−テトラニトロ−１，３，５，７−テトラアゾシクロオクタンの範囲の爆薬のための調整剤である、請求項１に記載の調整剤。
【請求項２７】
２，２’，４，４’，６，６’−ヘキサニトロジフェニル、２，２’，４，４’，６，６’−ヘキサニトロジフェニルスルフィド、２，２’，４，４’，６，６’−ヘキサニトロジフェニルスルホン、２，２’，４，４’，６，６’−ヘキサニトロスチルベン、３，３’−ジアミノ−２，２’，４，４’，６，６’−ヘキサニトロジフェニル、２，４，６−ヘキサニトロジフェニルアミン、トリニトロナフタレンの異性体、テトラニトロナフタレンの異性体の範囲の爆薬のための調整剤である、請求項１に記載の調整剤。
【請求項２８】
テトラニトロメタン、１，２−ジニトロエタン、１，１−ジニトロエタン、１，１，１−トリニトロエタン、ヘキサニトロエタンの範囲の爆薬のための調整剤である、請求項１に記載の調整剤。
【請求項２９】
トリニトロトリアジドベンゼン又はシアヌルトリアジドの範囲の爆薬のための調整剤である、請求項１に記載の調整剤。
【発明の詳細な説明】
【技術分野】
【０００１】
本発明は、爆薬、例えばそれを基にしたガス発生組成物、ロケット燃料及び火薬などの熱力学パラメーター、物理、化学、生化学的性質を調整できる有機及び無機組成物の範囲の調整剤に関する。
【背景技術】
【０００２】
一価（アルカノール、アルコール）、二価（アルカンジオール、グリコール、ジオール）、三価（トリオール、グリセリン）、多価（価数制限無し）アルコール及びそれらの可能な異性体は、硝酸と硫酸の混合物と相互作用（エーテル化）させると、容易に対応する硝酸の複合、完全及び／又は不完全エーテル（ニトレートエーテル、ニトリックエーテル、ニトレート）を形成することが知られている［１−５］。それらはある程度爆発性であるため（一価アルコールのニトレートは多価アルコールのニトレートより爆発性が低い［３］）、そのことがそれらの爆発性物質としての用途を規定している［３］。それらは大量の強熱ガスを放出しながら迅速に崩壊する物質で［２，５］、発破操作に使用される粉砕爆薬［１］にはなるが［１−５］、小型武器には適用できない［１−５］。なぜならば、発砲というより砲身を砕く粉砕的爆発となり、発射体も砲身から時間的猶予なく発射されるからである［１］。
【０００３】
そのような爆薬の一つの代表は、三価アルコール（グリセリン）と硝酸の複合完全エーテル、すなわちグリセリントリニトレートである。ニトログリセリンは誤称である［１，３−５］。グリセリントリニトレートは、プッシュ［１］、加熱［５］、衝撃、ショック、デトネーション（爆轟）の影響下、例えば信管の雷酸水銀の爆発により、自己分解［２］及び単純接触［３］の結果爆発する。しかしながら、グリセリントリニトレートの合成法が簡単であること、そのステージ及び廃棄物が少ないこと、並びにグリセリントリニトレート製造のための初期物質（半製品）が入手容易であること及び安価であることは、その製造を経済的なものにしている。他方で、標的製品（グリセリントリニトレート自体）としての構造の不変性、及び不純物の少なさ｛これはそれを基にした組成物（構造、配合物）を製造する際に非常に重要なことである｝のために、グリセリントリニトレートは類似用途（目的、使用）の他の物質と比べてかなり期待の大きい組成物（物質）となっている［１−５］。
【０００４】
ダブルベース火薬［１−５］、様々な種類（態様）のダイナマイト［１−５］の構造におけるグリセリントリニトレートの用途（使用）が知られている。
【０００５】
純粋な状態のグリセリントリニトレートは、その極度の不安定性のため、及びその分解時に膨大なエネルギーを熱及び大量の熱ガス、すなわち窒素、水、二酸化炭素としてだけでなく、酸素も遊離状態で遊離するため利用されない［１，２］。可燃性物質、例えば一価、二価、三価及び多価アルコール、並びにセルロースの硝酸エーテルとの混合物においてこれを利用すれば、グリセリントリニトレートの爆発作用を増幅することができる［１−５］。このようにして、活性及び不活性重量［１］、例えば化石ミール(fossil meal)、特殊なシリカ（多孔質ＳｉＯ２、珪藻土）を用いてダイナマイトを得ることが可能になる［１−５］。
【０００６】
現在ではグリセリントリニトレートと共に、その他のアルコールのニトレートも爆薬として重要になってきている。それは、アルコールと硝酸の複合完全及び／又は不完全エーテル、例えば硝酸メチル、硝酸エチル［４］、二硝酸エチレングリコール［２，４］、二硝酸プロピレングリコール［２］、マンニトールヘキサニトレート、ペンタエリスリトールテトラニトレート［１］などである［６，７，８］。これらはグリセリントリニトレートと比べて操作が安全であるが、グリセリントリニトレートと同様、それらも銃で発砲する場合の使用には不適切である。
【０００７】
グルコース分子から形成されるセルロースの分子中には、グルコースのアルコールヒドロキシル基が残っていることが知られている。このため、セルロースはアルコールに分類され、そのアルコールの性質が規定される［１−５］。セルロース分子は３個のヒドロキシル基を含有するので、硝酸と硫酸の混合物との相互作用（エーテル化）中にセルロースの複合完全、及び不完全ニトレートエーテルが形成される。すなわち、エーテル化反応の条件に応じて、硝酸残基が１個、２個又は全３個のヒドロキシルを置換でき、セルロースのモノニトレート、ジニトレート及びトリニトレート［又はモノニトロ、ジニトロ及びトリニトロセルロース］が形成される［５］。
【０００８】
全３個のヒドロキシルが硝酸残基によって置換されたトリニトロセルロース又はピロキシリン［１−５］は、グリセリントリニトレートと同様、高エネルギーを特徴とする爆轟爆薬で、発破作業の粉砕爆薬としての利用が知られている。しかしながら、銃及びロケット兵器からの発砲の場合は、粉砕的爆発によって発射体の運動の前に装置が破壊されるので利用されない［１−５］。銃システムにトリニトロセルロースを使用するには、その燃焼速度を緩徐化し、形成されたガスの圧力を徐々に蓄積して発射体を発動させる（押し出す）ようにすることが必要である［１−５］。その燃焼速度を低減するために、トリニトロセルロースは様々な溶媒、例えばアセトン、ビネガーアミルエーテル及びその他を用いてゲル化される［１］。すなわち、セルロースのトリニトレートを膨潤させ、濃厚なゼリー状塊を形成させる。そのような塊は様々な厚さ及びサイズの加圧成形テープに使用され、乾燥後無煙火薬として利用できる。それらはセルロースのトリニトレートよりもゆっくり燃え落ちるので、銃及びロケット装置からの発砲にそれらを使用することが可能になる。兵器用の無煙火薬を得るために、それらは微細片に切断される。セルロースのトリニトレートは、グリセリントリニトレートを用いることによってもゲル化されることが知られている。そこで、形成された塊は“膠質ダイナマイト”の名の下で発破作業にも使用される特殊なダイナマイトを表す［１］。セルロースのトリニトレートの性質は、我々が提案した対応するアルコールと硝酸及び硫酸の混合物との相互作用（エーテル化）中に形成される類似の完全又は不完全エーテルの性質と類似しているので、熱力学（熱化学）パラメーター及び安定性の意図的な調整のための作業の決定へのアプローチの原理は、セルロースのトリニトレート、並びにそれを基にした駆動力の動力システムの新規複合構造の配合物の万能調整剤として適用（使用）される物質（組成物）の性質及び品質が真正であることに悪影響を及ぼす。一部のグレードの無煙火薬はセルロースのトリニトレート及び〜３０％のグリセリントリニトレートを同時に含有する混合物からなる［４］。そこで、唯一及び同じ万能調整剤を使用（適用）することは、多少成分的な系における成分の適合性を改良するだけでなく、その各成分の一般的含有量を排除又は削減する。なぜならば、万能調整剤を使用（適用）すれば、所要の性質を得るのに必要な多くのその他の成分の使用を排除することが可能になるからである。その上、我々が提案する万能調整剤の一つを使用するだけで、系が獲得するその他の性質、例えばバイオ、ラジオ、光、熱、化学的性質の追加的改良及び抗酸化的安定性も提供される。
【０００９】
様々な目的を意図した爆薬及びそれを基にした組成物の使用（用途）に関する定期刊行物及び特許文献の資料をさらに研究した結果、主な欠点が明らかになった。すなわち、十分な効率及び多用途性を備えていない添加剤と、それらを基に創製された組成物（構造、配合物）の一定かつ限定的な組合せでは、感受性、温度、圧力、形成された物質の体積、それらの構造及びエコロジー的適合性、燃焼速度及びそのデトネーションへの移行に関する多くの問題が解決されない。
【００１０】
現在まで、普遍的性質を有する爆薬の新規複合化合物の創製に関する集中的な取組みがある。
【００１１】
無煙火薬は、構造においてセルロースのニトレートを基にし、様々な軟化剤と共に製造されることが知られている。グリセリントリニトレート（バリスタイト）及びピロキシリンを基にした無煙火薬もある［ソビエト百科事典−Ｍ．：Ｓｏｖｉｅｔ  ｅｎｃｙｃｌｏｐｅｄｉａ，１９８３，ｐ．１１９］。大砲用バリスタイト及びピロキシリンの無煙火薬とバリスタイトロケット固形燃料は、寸法−質量のパラメーター（特徴）、構造、各種の機械的影響に対する感受性、動力パラメーター、燃焼速度、パルスデトネーションに対する感受性が大きく異なる。現在、工業でもっとも使用されている爆薬はヘキソーゲンとオクトーゲンであるが、それらは異なる種類の機械的影響に対して高感受性を有しているので、それらの構造中に遅延剤を入れずに利用することはできない[ロシア特許第２２２６５２２号，Ｃｌ．С  ０６  В  ２５／００，２１／００，２５／２４，３１／３２，С  ０６  Ｄ  ５／０６，ｐｕｂｌ．１０．０４．２００４，Ｂｕｌ．Ｎｏ．１０]。
【００１２】
無煙ピロキシリン、大砲用バリスタイト火薬、バリスタイト固形ロケット燃料、それらの混合物を基にした粉状爆薬組成物（構造、配合物）が知られている［ロシア特許第１８１０３２１号；２０２１２３９号；２０２６２７４号；２０２６２７５号；２０４６１１７号；２０７４１６０号；２０９２４７３号；２０９９３９６号；２１３０４４６号；２１７６６３２号；２０８６５２４号  С１  １０．０８．１９９７；２１２２９９０号  С１，１０．１２．１９９８；２０９６３９６号  С１，２０．１１．１９９７；英国特許第１２６５７１８号，０８．０３．１９９２；英国特許第１３０７９６７号，２１．０２．１９７３；米国特許第３２３５４２５号；３１８６８８２号，０１．０６．１９６５；３７１３９１７号，３０．０１．１９７３；４５５５２７６号；５４４５６９０号；Ｋｕｋ  Ｍ．Ａ．  Ｉｎｄｕｓｔｒｉａｌ  ｅｘｐｌｏｓｉｖｅｓ  ｓｃｉｅｎｃｅ  −  Ｍ．：Ｎｅｄｒａ，１９８０，ｐ．２８．］。これらの研究資料中、概して爆薬の構造は機械的及びその他の影響に対して異なる種類の顕著な感受性を有しており、必ずしも求められる結果に到達しているわけではない。
【００１３】
今日までヘキソーゲン、オクトーゲンは高感受性を有する破壊的爆薬(brisant explosives)として適用（使用）されており、従って純粋な状態では適用（使用）できないことが知られている。それらの感度を低下させ、安全な取扱いを維持するためには、様々な非爆発性添加剤（遅延剤）と組み合わせて使用（適用）するしかない。添加剤（遅延剤）として使用されているのは、不飽和及び飽和固体炭化水素、例えばワックス、パラフィン、セレシン、及びステアリンのような組成物に類似したその他の化学物質（組成物）、それに不活性及び活性（爆発性）軟化剤によって可塑化された各種ゴム及びポリマーである。強力な爆薬は通常それらの構造中に２．５から１０質量％までの遅延剤を含有している［ロシア特許第２２５２９２５号  ＣＬ．Ｃ  ０６  Ｂ  ２５／３４，４５／２２，２８．１０．２００３，ｐｕｂｌ．２７．０５．２００６．Ｂｕｌ．Ｎｏ．１５］。この研究［ＬＬＮＬ  Ｅｘｐｌｏｓｉｖｅ  Ｈａｎｄｂｏｏｋ．Ｐｒｏｐｅｒｔｉｅｓ  ｏｆ  Ｃｈｅｍｉｃａｌ  Ｅｘｐｌｏｓｉｖｅ  ａｎｄ  Ｅｘｐｌｏｓｉｖｅ  Ｓｉｍｌａｎｔｓ／Ｄｏｂｒａｔｚ  Ｂ．Ｍ．，  Ｌｉｖｅｒｍｏｒｅ，  Ｃａｌｉｆｏｒｎｉａ，  １９８１．］の中で、ヘキソーゲン（９５〜９３．５％）と、合成セレシン（４５％）、天然セレシン（１５％）、ステアリン（３８．８％）及びオレンジの脂溶性染料（１．２％）の混合物からなる遅延剤（５〜６．５％）とを含有する爆薬構造が引用されている；オクトーゲン（９７．５％）と、ポリメチルメタクリレート（１．２％）、グラファイト（０．５％）、及びオキシシン(oxysin)（０．８％）からなる遅延剤（２．５％）とを含有する爆薬構造、並びにその他の広く使用されている混合爆薬化合物も引用されている。
【００１４】
ヘキソーゲン及びオクトーゲンと比べてさらに強力な環状ニトラミン２，４，６，８，１０，１２−ヘキサ−ニトロ−２，４，６，８，１０，１２−ヘキサ−アゾ−テトラシクロ（５，５，０，０３，１１，０５，９）ドデカンのクラスの爆薬（組成物）が知られている。化学安定性及び感受性に関してはオクトーゲンに類似している。異なる種類の機械的影響に対する高い感受性と低い化学安定性を特徴としている［ロシア特許第２１９９５４０号、２６．０４．２００１．Ｍｅｔｈｏｄ  ｆｏｒ  ｏｂｔａｉｎｉｎｇ  ｔｈｅ  ２，４，６，８，１０，１２−ｈｅｘａ−ｎｉｔｒｏ−２，４，６，８，１０，１２−ｈｅｘａ−ａｚｏ−ｔｅｔｒａｃｙｃｌｏ  （５，５，０，０３，１１，０５，９）  ｄｏｄｅｃａｎｅｓ．Ｓｙｓｏｌｉａｔｉｎ  Ｓ．Ｖ．，Ｌｏｂａｎｏｖａ  Ａ．Ａ．，Ｃｈｅｒｎｉｋｏｖａ  Ｊ．Ｔ．］。
【００１５】
研究［米国特許第５５８７５３３号，Ｈｉｇｈ  ｐｅｒｆｏｍａｎｓｅ  ｐｒｅｓｓａｂｌｅ  ｅｘｐｌｏｓｉｖｅ  ｃｏｍｐｏｓｉｔｉｏｎｓ／Ｂｒａｉｔｈｗａｉｔｅ  Ｐ．Ｃ．，Ｌｕｎｄ  Ｏ．Ｋ．，Ｗａｒｄｌｅ  Ｒ．Ｂ．］の中で、２，４，６，８，１０，１２−ヘキサ−ニトロ−２，４，６，８，１０，１２−ヘキサ−アゾ−テトラシクロ（５，５，０，０１，１１，０５，９）ドデカン及び５〜１０質量％の量のポリグリシジルニトレート、ポリグリシジルアミド及びその他からなる遅延剤（活性結合添加剤）を基にした爆発性組成物が提供されている。
【００１６】
研究［Ｓｉｍｐｓｏｎ  Ｒ．Ｌ．，Ｕｒｔｉｅｗ  Ｐ．Ａ．，Ｏｒｎｅｌｌａｓ  Ｄ．Ｌ．，ｅｔ  ａｌ．ＣＬ−２０  ｐｅｒｆｏｒｍａｎｃｅ  ｅｘｃｅｅｄｓ  ｔｈａｔ  ｏｆ  ＨＭＸ  ａｎｄ  ｉｔｓ  ｓｅｎｓｉｔｉｖｉｔｙ  ｉｓ  ｍｏｄｅｒａｔｅ／／Ｐｒｏｐｅｌｌａｎｔｓ，Ｅｘｐｌｏｓｉｖｅｓ−１９９７−Ｎｏ．２２−Ｐｐ．２４９−２５５．］の中で、２，４，６，８，１０，１２−ヘキサ−ニトロ−２，４，６，８，１０，１２−ヘキサ−アゾ−テトラシクロ（５，５，０，０１，１１，０５，９）ドデカン（ＣＬ−２０）をベースにし、ポリウレタンポリマーＥｓｔａｎｅ−５７０３−Ｐを遅延剤とした組成物が提供されている。この組成物は、同じポリウレタンポリマーを用いたオクトーゲンの組成物より高い感受性を特徴とする。
【００１７】
研究［ロシア特許第２２５２９２５号，Ｃｌ．С０６  Ｂ  ２５／３４，４５／２２，２８．１０．２００３，ｐｕｂｌ．２７．０５．２００６．Ｂｕｌ．Ｎｏ．１５］の中で、２，４，６，８，１０，１２−ヘキサ−ニトロ−２，４，６，８，１０，１２−ヘキサ−アゾ−テトラシクロ（５，５，０，０３，１１，０５，９）ドデカン（９８．５〜９７質量％）及び遅延剤（１．５〜３質量％）を基にした組成物が提供されている。該遅延剤は、ステアリン酸及び／又はパラフィン及び／又はセレシン又はそれらの混合物からなるが、これらの化合物（物質）を基にした爆発性組成物の性質を改良するための研究はまだ進行中であり、一定の成功も収めているが、それらの意図する目的に従ってそれらを安全に適用（使用）することを可能にする結果に到達するのは、それらの不安定性のためにかなり困難である。
【００１８】
液体爆発性組成物（物質）及びそれらの複合構造配合物の適用（使用）は、様々に設定された特殊目的のある種の課題を解決するための一つの重要及び有望な方向性であり、通常の条件下で液体又は不均一であることを基にした粘稠溶液は固体爆薬（組成物）と比べて製造が容易であることが知られている［ロシア特許第２０６３９４４号，Ｃｌ．Ｃ  ０６  Ｂ  ２５／１０，１９９６，ｐｕｂｌ．ｉｎ  Ｂｕｌ．Ｎｏ．２０  ｆｒｏｍ  ２０．０７．９６］。
【００１９】
しかしながら、グリセリントリニトレート又はそれに基づく組成物（構造、配合物）のような液体爆薬の使用（適用）は、様々な機械的影響に対するそれらの非常に高い感受性のために著しく制限されている。しかしながら、高エネルギー物質（組成物）、特にグリセリントリニトレートは、様々な目的の爆発性組成物を創製する基になる不変の対象である。様々な影響に対するそれらの感受性を削減（低減）するために、何らかの遅延添加剤が使用（適用）される。そのような添加剤を用いて、工業用（商業用）爆薬を含む様々な特殊目的用の多数のいわゆるトリ−ニトロ−グリセリン爆発性組成物（物質、配合物）、例えばポベディット(pobedit)、デトナイト(detonite)及び類似化合物が創製されている。これらの組成物（化合物）は、グリセリントリニトレートの含有量が低い（約１０％）のために機械的影響に対して比較的低感受性であることを特徴としているが、同時に同じ理由から低エネルギー特性（応答）であることも特徴としている。
【００２０】
グリセリントリニトレートを基にしたいくつかの組成物（物質、配合物）が知られている［米国特許第３１０８９１６号，Ｃｌ．С  ０６  В  １９／０２，１９６３．米国特許第２９８８４３６号，Ｃｌ．С  ０６  Ｄ  ５／０４  １９６１  米国特許第４０１１１１４号，Ｃｌ．С  ０６  В  ４５／１０，１９７６］。これらの組成物（配合物）は、機械的影響に対して比較的高い感受性と、低（小）酸素因子のために低いエネルギー特性を特徴としている。グリセリントリニトレートのための遅延剤として三硝酸トリメチロールエタンの使用が知られている［米国特許第３４２３２５６号，Ｃｌ．Ｃ  ０６  Ｂ  ３／００１９６９］。しかしながら、液体爆発性組成物の感受性の本質的低下は、グリセリントリニトレートに多量の遅延剤を導入した場合にのみ達成されるので、その爆発特性（パラメーター）は急激に低下する。上記のことに基づくと、様々な機械的影響に対して十分低い感受性を特徴とする高エネルギーの爆発性不均一体（溶液）を創製する問題はこれまでかなり急務であったが、記載した爆発性組成物の共通の欠点は様々な機械的影響に対して感受性が高いことであるためにまだ解決されていないことになる。従って、我々が提供する所定の目的に関して従来知られていなかった調整剤を用いて、考えている目的に応じて設定された機械的性質及びその他の性質を有する新規な爆発性組成物を創製することは新規である。
【００２１】
これらの特許資料中に記載されている爆発性組成物の共通の欠点は、様々な機械的影響に対するそれらの高い感受性である。
【００２２】
これまで、伸ばした及びシート状の弾薬、デトネーション用テープ及び特別な爆破作業用のその他の類似材料（製品）の製造用に設計された爆薬を創製するという任務はかなり急務であり期待されていた。プラスチック爆弾物質ヘキソプラスト(hexoplast)ＨＰ−７４；ＨＰ−８７；ＨＰ−８７Ｋ［＜Ｔｈｅ  ｌｉｓｔ  ｏｆ  ｒｅｃｏｍｍｅｎｄｅｄ  ｉｎｄｕｓｔｒｉａｌ  ｅｘｐｌｏｓｉｖｅ  ｍａｔｅｒｉａｌｓ．＞Ｍ：Ｎｅｄｒａ，１９７７，ｐａｇｅ  ２８．］及びエラスチック爆弾［米国特許第３７２３２０４号，Ｃｌ．１４９−１９  С  ０６Ｂ  ３／００，  С  ０６С  １／１００，１９７３；英国特許第１２９７７０６号，Ｃｌ．Ｃ  ０６Ｂ  １５／０１，１９７０］が知られている。このような爆弾は効率的クリスタル爆弾の混合物に属する。一般的にそれは様々な結合剤、例えばゴム（複合材料中の含有量は１３〜３０％）と組み合わせたヘキソーゲンである。これらの組成物は特別な爆破作業に使用（適用）される。しかしながら、それらは様々な機械的影響に対して高い感受性を備えているので、フェーズテスト中の爆発の頻度は７０％になり、これらの組成物の燃焼から爆発への移行は迅速で速い。
【００２３】
ベースとして、多価アルコールの液体ニトロエステル、例えばグリセリントリニトレートによって可塑化されたコロキシリン、及び化学安定用の安定剤を含有する爆発性組成物が知られている［Ｓｖｅｔｌｏｖ  Ｂ．Ｙａ．ａｎｄ  Ｙａｒｅｍｅｎｋｏ  Ｎ．Е．  Ｔｈｅ  ｔｈｅｏｒｙ  ａｎｄ  ｐｒｏｐｅｒｔｉｅｓ  ｏｆ  ｉｎｄｕｓｔｒｉａｌ  ｅｘｐｌｏｓｉｖｅｓ．Ｍ．：Ｎｅｄｒａ，１９７３，ｐ．１８５．］。この爆発性組成物は高い爆発性を特徴としている。
【００２４】
同じくベースとして、多価アルコールの液体ニトロエステル、例えばグリセリントリニトレートによって可塑化されたコロキシリン；化学安定用の安定剤及び高密度物質の微分散粒子を含有する爆発性組成物が知られている。化学安定用の安定剤はセントラリット(centralite)である［ロシア特許第２１０５７４６号，Ｃｌ．Ｃ  ０６  Ｂ  ２５／１８．Ｐｕｂｌ．２７．０２．１９９８  ｉｎ  Ｂｕｌ．Ｎｏ．６］。
【００２５】
これまで、消火器、安全バッグ及びその他の空気式装置を含むガス発生組成物を創製することはかなり急務であり、期待も大きい。セルロースのエーテルをベースにし、３０〜４０％の、式：
【００２６】
【化１】
2010506821.tif 000003
【００２７】
の軟化剤物質（組成物）を含有する消火器用のガス発生組成物が知られている。［米国特許第３８７３５７９号，Ｃｌ．Ｃ  ０６  Ｄ  ５／０６，１９７５］。この組成物の燃焼温度は２０００〜２５００°Ｋになる。消火器用の別のガス発生組成物は、質量％で、ジブチルフタレート（１７）、セルロースのアセテート（７．６）、Ｎ−メチル−ｐ−ニトロアニリン（１）、セルロースのニトレート（３０．４）、ペンタエリトリットのトリニトレート（３７）、エチルセントラリト（２）、酸化スズ（５）を含有する。その燃焼温度は１７００°Ｋである［米国特許第３６３９１８３号，Ｃｌ．Ｃ  ０６  Ｄ  ５／０６，１９７２］。このような組成物を改良する目的は、様々な機械的影響に対する感受性を低下させること及び燃焼温度を低下させることである。該組成物の主成分は質的にも量的にも変えずにほとんどそのままである。そこで、質量％の比率でセルロースのニトレート（５９〜６９）のベース、軟化剤として１，６−ジアジド−２−アセトキシ−４−オキサ−ヘキサン（３０〜４０）を含有するガス発生組成物が知られている。その他の添加剤は、ジメチルジフェニルウレア）０．５〜０．６）及びワセリン（０．４〜０．５）であり、この組成物の燃焼温度は１４５０°Ｋになる［Ｃｏｐｙｒｉｇｈｔ  ｃｅｒｔｉｆｉｃａｔｅ  ＲＵ  Ｎｏ．９１８２８９，Ｍ  Ｃｌ．Ｃ  ０６  Ｄ  ５／０６．ＵＤＣ  ６６２．１６（０８８．８），ｐｕｂｌ．０７．０４．８２．Ｂｕｌ．Ｎｏ．１３．ｄａｔｅ  ｏｆ  ｐｕｂｌｉｃａｔｉｏｎ  ｏｆ  ｔｈｅ  ｄｅｓｃｒｉｐｔｉｏｎ  １０．０４．８２］。しかしながら、これらの組成物はいずれも機械的影響に対する高い感受性、高温及び高速の燃焼を特徴としている。
【００２８】
以前は酸が多くの爆薬（組成物）の分解を促進すると考えられていた［Ｌ．Ａ．Ｓｍｉｒｎｏｖ  ＜Ｔｈｅ  ｅｑｕｉｐｍｅｎｔ  ｆｏｒ  ｍａｎｕｆａｃｔｕｒｉｎｇ  ｂａｌｌｉｓｔｉｔｅ  ｇｕｎｐｏｗｄｅｒｓ  ｕｓｉｎｇ  ａｕｇｅｒ  ｔｅｃｈｎｏｌｏｇｙ  ａｎｄ  ｃｈａｒｇｅｓ  ｍａｄｅ  ｏｆ  ｔｈｅｍ＞，ｅｄｉｔｅｄ  ｂｙ  Ｌ．Ｖ．Ｚａｂｅｌｉｎａ．Ｍ．：１９９７］。しかしながら、火薬、固形ロケット燃料及びガス発生組成物の化学安定性のための安定剤が知られている。これは、ニトロセルロース、ホウ酸又はリン酸、又は式（Ｉ）：
【００２９】
【化２】
2010506821.tif 000004
【００３０】
［式中、Ｒ＝−Ｈ、−ＯＨ、−ＣＯＯＨ、−ＣＯＯＮａ
Ｒ１＝−Ｈ、−ＯＨ、−ＣＯＯＨ；−ＣＯＯＮＨ４、−ＣＯＯＮａ、
Ｒ２＝−Ｈ、−ＯＨ、−ＣＯＯＨ、−ＣＯＯＮａ、式：
【００３１】
【化３】
2010506821.tif 000005
【００３２】
｛式中、Ｒ１又はＲは上記の値を有する｝を有する化合物の残基］
を有する、又は式（II）：
【００３３】
【化４】
2010506821.tif 000006
【００３４】
［式中、Ｒ＝−ＯＨ、−ＯＫ、−ＯＮＨ４、−ＯＮａ、
Ｒ１＝結合又は−Ｃ２Ｈ４、
Ｒ２＝不在又は媒体Ｈ２Ｏもしくは２Ｈ２Ｏ］
を有する有機酸又はその塩を基にしている［ロシア特許第２２４４７０３号，Ｃｌ．С０６  В  ２５／１８，２１／００，２５／２８  С０６  Ｄ  ５／００，０２．１２．２００３，ｐｕｂｌ．２０．０１．２００５  Ｂｕｌ．Ｎｏ．２］。
【先行技術文献】
【特許文献】
【００３５】
【特許文献１】ロシア特許第２２２６５２２号
【特許文献２】ロシア特許第１８１０３２１号
【特許文献３】ロシア特許第２０２１２３９号
【特許文献４】ロシア特許第２０２６２７４号
【特許文献５】ロシア特許第２０２６２７５号
【特許文献６】ロシア特許第２０４６１１７号
【特許文献７】ロシア特許第２０７４１６０号
【特許文献８】ロシア特許第２０９２４７３号
【特許文献９】ロシア特許第２０９９３９６号
【特許文献１０】ロシア特許第２１３０４４６号
【特許文献１１】ロシア特許第２１７６６３２号
【特許文献１２】ロシア特許第２０８６５２４号
【特許文献１３】ロシア特許第２１２２９９０号
【特許文献１４】ロシア特許第２０９６３９６号
【特許文献１５】英国特許第１２６５７１８号
【特許文献１６】英国特許第１３０７９６７号
【特許文献１７】米国特許第３２３５４２５号
【特許文献１８】米国特許第３１８６８８２号
【特許文献１９】米国特許第３７１３９１７号
【特許文献２０】米国特許第４５５５２７６号
【特許文献２１】米国特許第５４４５６９０号
【特許文献２２】ロシア特許第２２５２９２５号
【特許文献２３】ロシア特許第２１９９５４０号
【特許文献２４】米国特許第５５８７５３３号
【特許文献２５】ロシア特許第２０６３９４４号
【特許文献２６】米国特許第３１０８９１６号
【特許文献２７】米国特許第２９８８４３６号
【特許文献２８】米国特許第４０１１１１４号
【特許文献２９】米国特許第３４２３２５６号
【特許文献３０】米国特許第３７２３２０４号
【特許文献３１】英国特許第１２９７７０６号
【特許文献３２】ロシア特許第２１０５７４６号
【特許文献３３】米国特許第３８７３５７９号
【特許文献３４】米国特許第３６３９１８３号
【特許文献３５】Ｃｏｐｙｒｉｇｈｔ  ｃｅｒｔｉｆｉｃａｔｅ  ＲＵ  Ｎｏ．９１８２８９
【特許文献３６】ロシア特許第２２４４７０３号
【非特許文献】
【００３６】
【非特許文献１】E.S. Hotinsky. The course of organic chemistry. - Kharkov.: Publishing house of the Kharkov Red Labour Banner Award A.M.Gorky National University, 1959.-724 pp.
【非特許文献２】B.A.Pavlov and A.P.Terentyev. The course of organic chemistry. - Moscow.: National scientific and technical publishing house of chemical literature, 1961. - 592 pp.
【非特許文献３】A.E.Chichibabin. Principles of organic chemistry. Volume I. - Moscow.: National scientific and technical publishing house of chemical literature, 1963. - 912 pp.
【非特許文献４】A. N. Nesmeyanov, N. A. Nesmeyanov. Principles of organic chemistry. Book one. - Moscow.: Publishing house "Khimiya", 1974.-624 pp.
【非特許文献５】B.N. Stepanenko. The course of organic chemistry Part I. Aliphatic compositions. - Moscow.: Publishing house "Vysschaya shkola", 1976. - 448 pp.
【非特許文献６】E.Ju. Orlova. Chemistry and technology of brisant substances. - Moscow.: Scientific and technical publishing house OBORONGIZ, 1960. - 396 pp.
【非特許文献７】E.Ju. Orlova. Chemistry and technology of brisant substances. - Leningrad.: Publishing house "Khimiya", 1973. - 688 pp.
【非特許文献８】Ju.A. Lebedev, E.A.Miroshnichenko, Ju.K. Knobel. Thermochemistry of nitro compounds. Publishing house "Nauka". Moscow. 1970. - 168 pp.
【非特許文献９】Orlova E.Ju.Chemistry and technology of brisant substances: Textbook for high schools - Ed., - 3rd ed., rev. - L.: Khimiya, 1981.-312 pp.
【非特許文献１０】ソビエト百科事典−M.:Soviet encyclopedia, 1983, p.119
【非特許文献１１】Kuk M. A. Industrial explosives science - M.:Nedra, 1980, p.28.
【非特許文献１２】LLNL Explosive Handbook. Properties of Chemical Explosive and Explosive Simlants/Dobratz B. M. , Livermore, California, 1981.
【非特許文献１３】Simpson R. L. ,Urtiew P. A., Ornellas D. L., et al. CL-20 performance exceeds that of HMX and its sensitivity is moderate//Propellants,  Explosives - 1997 - No.22 - Pp. 249-255.
【非特許文献１４】The list of recommended industrial explosive materials. >M: Nedra, 1977, page 28.
【非特許文献１５】Svetlov B. Ya. andYaremenkoN.Е. The theory and properties of industrial explosives. M.: Nedra,1973, p.185.
【非特許文献１６】L.A.Smirnov  <The equipment for manufacturing ballistite gunpowders using auger technology and charges made of them >, edited by L. V. Zabelina. M.: 1997
【発明の概要】
【発明が解決しようとする課題】
【００３７】
本発明の工学的問題は、一価、二価、三価又は多価アルコールの複合完全又は不完全ニトレート、ニトロセルロース、ニトロアミン、アジド、ニトロベンゼン又はニトロアルカンの範囲の爆薬用の万能調整剤を創製することにある。そのような調整剤をこれらの爆薬に導入することによって、それらの熱力学パラメーター、物理、化学、生化学的性質を調整すること、及び導入された調整剤と共にこれらの爆薬を基にして、考えている目的（課題）に応じて所要の性質を有する液体（粘稠）、不均一又は固体アグリゲート状態を有する爆発性及び非爆発性複合化合物を創製することが可能になる。所要の性質は、組成物中に含まれる成分の比率によって変動しうる。
【００３８】
本発明の技術的結果は、この方法の開発の全ての初期段階で爆薬（組成物）の早期分解を阻止し、その後のスムーズで迅速な温度の上昇（増加）の結果として開始（活性化）を行い、系の中の十分な剰余酸素に応じて爆発的分解又は燃焼をもたらすことである。これは、酸素含有化合物（物質）と、爆発性組成物中に含まれる物質（化合物）が分解する際に純粋な状態の酸素を放出する結果による。すなわち、分解速度が制御されるほか、爆薬の各種機械的影響に対する感受性が低下し、圧縮の程度が改良する。
【課題を解決するための手段】
【００３９】
技術的結果は、一価、二価、三価又は多価アルコールの複合完全又は不完全ニトレート、ニトロセルロース、ニトロアミン、ニトロアニリン、アジド、ニトロベンゼン、ニトロアルカン及びそれらの混合物の範囲の爆薬に、無機、有機酸及びそれらの塩に属する公知の安価で入手しやすい組成物を万能調整剤として使用することによって達成される。無機又は有機酸又はそれらの塩に属する組成物は、以下の群、すなわちオルトホウ酸、リン酸又はオルトリン酸、又は式（１）：
【００４０】
【化５】
2010506821.tif 000007
【００４１】
［式中、Ｒ＝−Ｈ、−ＯＨ、−ＣＯＯＨ、−ＣＯＯＮａ
Ｒ１＝−Ｈ、−ＯＨ、−ＣＯＯＨ、−ＣＯＯＮＨ４、−ＣＯＯＮａ、
Ｒ２＝−Ｈ、−ＯＨ、−ＣＯＯＨ、
【００４２】
【化６】
2010506821.tif 000008
【００４３】
−ＣＯＯＮａ、ここでＲ１及びＲは上記の値を有する］、又は式（２）：
【００４４】
【化７】
2010506821.tif 000009
【００４５】
［式中、Ｒ＝−ＯＨ、−ＯＫ、−ＯＮＨ４、−ＯＮａ、
Ｒ１＝単結合又は−Ｃ２Ｈ４、
Ｒ２＝不在又はＨ２Ｏ又は２Ｈ２Ｏ］、
又は式（３）：
【００４６】
【化８】
2010506821.tif 000010
【００４７】
［Ｒ＝−ＮＯ２；Ｒ１＝Ｒ２＝−Ｈの場合、これは２−ニトロ安息香酸（ｏ−ニトロ安息香酸）であり、
Ｒ１＝−ＮＯ２；Ｒ＝Ｒ２＝−Ｈの場合、これは３−ニトロ安息香酸（ｍ−ニトロ安息香酸）であり、
Ｒ２＝−ＮＯ２；Ｒ＝Ｒ１＝−Ｈの場合、これは４−ニトロ安息香酸（ｐ−ニトロ安息香酸）である］
を有する組成物から選ばれる。
【図面の簡単な説明】
【００４８】
【図１】図１は質量比１：２のシュウ酸（結晶水和物）とグリセリントリニトレートの混合物の分解のダイアグラムを示す。
【図２】図２は質量比１：５のシュウ酸（結晶水和物）とグリセリントリニトレートの混合物の分解のダイアグラムを示す。
【図３】図３は質量比１：１のシュウ酸アンモニウム（結晶水和物）とグリセリントリニトレートの混合物の分解のダイアグラムを示す。
【発明を実施するための形態】
【００４９】
上記式の好適な酸及び塩は以下の組成物である。
【００５０】
式（１）を有し、Ｒ＝−ＯＨ、Ｒ１＝−ＣＯＯＨ、Ｒ２＝
【００５１】
【化９】
2010506821.tif 000011
【００５２】
の組成物は、５，５’−メチレンジサリチル酸である。
【００５３】
式（１）を有し、Ｒ＝−ＯＨ、Ｒ１＝−ＣＯＯＮＨ４、Ｒ２＝
【００５４】
【化１０】
2010506821.tif 000012
【００５５】
の組成物は、５，５’−メチレンジサリチル酸のジアンモニウム塩である。
【００５６】
式（１）を有し、Ｒ＝−ＣＯＯＨ、Ｒ１＝−ＣＯＯＨ、Ｒ２＝−Ｈの組成物はオルトフタル酸である。
【００５７】
式（１）を有し、Ｒ＝Ｈ、Ｒ１＝−ＣＯＯＨ、Ｒ２＝−ＣＯＯＨの組成物はイソフタル酸である。
【００５８】
式（１）を有し、Ｒ＝−ＣＯＯＨ、Ｒ１＝Ｈ、Ｒ２＝−ＣＯＯＨの組成物はテレフタル酸である。
【００５９】
式（１）を有し、Ｒ＝−ＣＯＯＮａ、Ｒ１＝Ｈ、Ｒ２＝−ＣＯＯＮａの組成物はテレフタル酸のジナトリウム塩である。
【００６０】
式（１）を有し、Ｒ＝Ｈ、Ｒ１＝−ＣＯＯＮａ、Ｒ２＝−ＣＯＯＮａの組成物はメタフタル酸のジナトリウム塩である。
【００６１】
式（１）を有し、Ｒ＝−ＣＯＯＨ、Ｒ１＝−ＯＨ、Ｒ２＝−Ｈの組成物はサリチル酸である。
【００６２】
式（１）を有し、Ｒ＝−ＯＨ、Ｒ１＝−ＣＯＯＮａ、Ｒ２＝−Ｈの組成物はサリチル酸のナトリウム塩である。
【００６３】
式（１）を有し、Ｒ＝−ＣＯＯＨ、Ｒ１＝−Ｈ、Ｒ２＝−Ｈの組成物は安息香酸である。
【００６４】
式（１）を有し、Ｒ＝−ＣＯＯＮａ、Ｒ１＝−Ｈ、Ｒ２＝−Ｈの組成物は安息香酸のナトリウム塩である。
【００６５】
式（１）を有し、Ｒ＝−ＣＯＯＨ、Ｒ１＝−Ｈ、Ｒ２＝−ＯＨの組成物はパラオキシ安息香酸である。
【００６６】
式（１）を有し、Ｒ＝−Ｈ、Ｒ１＝−ＣＯＯＨ、Ｒ２＝−ＯＨの組成物はメタオキシ安息香酸である。
【００６７】
式（２）を有し、Ｒ＝−ＯＨ、Ｒ１＝単結合、Ｒ２−不在の組成物はシュウ酸である。
【００６８】
式（２）を有し、Ｒ＝−ＯＨ、Ｒ１＝単結合、Ｒ２＝２Ｈ２Ｏの組成物は２水シュウ酸である。
【００６９】
式（２）を有し、Ｒ＝−ＯＫ、Ｒ１＝単結合、Ｒ２−不在の組成物はレモン塩である。
【００７０】
式（２）を有し、Ｒ＝−ＯＮａ、Ｒ１＝単結合、Ｒ２−不在の組成物はシュウ酸ナトリウムである。
【００７１】
式（２）を有し、Ｒ＝−ＯＮＨ４、Ｒ１＝単結合、Ｒ２−不在の組成物はシュウ酸アンモニウムである。
【００７２】
式（２）を有し、Ｒ＝−ＯＨ、Ｒ１＝−Ｃ２Ｈ４、Ｒ２−不在の組成物はコハク酸である。
【００７３】
リストアップされた組成物は基本的に比較的低い分解温度と比較的高い発火温度を有している。従って、これらを特定の爆薬に導入した場合、熱エネルギーの一部はこれらの物質の分解に使用されるので、形成されたガスの総体的（全体的）温度は低下し、同時にそれらの体積は増加する。そしてこれらの組成物の分解及び／又は燃焼の結果形成されたガスによる圧力もそれに比例して発生する。
【００７４】
上記調整剤の導入が提案される、一価、二価、三価又は多価アルコールの複合完全又は不完全ニトレート、ニトロセルロース、ニトロアミン、ニトロアニリン、アジド、ニトロベンゼン又はニトロアルカンの範囲の爆薬は、以下の爆薬であろう。
・式：
【００７５】
【化１１】
2010506821.tif 000013
【００７６】
［式中、Ｒ又は／及びＲ１＝−ＣＨ３、−Ｈ、
【００７７】
【化１２】
2010506821.tif 000014
【００７８】
、ｎ＝１〜４］を有する爆薬：
Ｒ＝Ｒ１＝−ＣＨ２−Ｏ−ＮＯ２；ｎ＝１の場合、グリセロールトリニトレート（ニトログリセリン）である；
Ｒ＝Ｒ１＝−Ｈ；ｎ＝１の場合、硝酸メチルである；
Ｒ＝−ＣＨ３；Ｒ１＝−Ｈ；ｎ＝１の場合、硝酸エチルである；
Ｒ＝−ＣＨ２−Ｏ−ＮＯ２；Ｒ１＝−Ｈ；ｎ＝１の場合、二硝酸エチレングリコールである；
Ｒ＝−ＣＨ３；Ｒ１＝−ＣＨ２−Ｏ−ＮＯ２；ｎ＝１の場合、二硝酸プロピレングリコールである；
Ｒ＝Ｒ１＝−ＣＨ２−Ｏ−ＮＯ２；ｎ＝４の場合、マンニトールヘキサニトレート（ニトロマンニット）である；
Ｒ＝−ＣＨ２ＣＬ；Ｒ１＝−ＣＨ２−Ｏ−ＮＯ２；ｎ＝１の場合、モノクロロヒドリンジニトレートである；
Ｒ＝−Ｈ；Ｒ１＝
【００７９】
【化１３】
2010506821.tif 000015
【００８０】
；ｎ＝４の場合、ペンタエリスリトールテトラニトレート（ペンスリット）である；
・式を有する爆薬：
式：
【００８１】
【化１４】
2010506821.tif 000016
【００８２】
を有するニトロイソブチルグリセリントリニトレート；
・式：
【００８３】
【化１５】
2010506821.tif 000017
【００８４】
を有するジエタノール−Ｎ−ニトロアミンジニトレート（ＤＩＮＡ）；
・式：
【００８５】
【化１６】
2010506821.tif 000018
【００８６】
を有するジグリセリンテトラニトレート；
・式：
【００８７】
【化１７】
2010506821.tif 000019
【００８８】
を有するジエチレングリコールジニトレート（ジグリコールジニトレート、ジニトロジグリコール）；
・セルロースのトリニトレート（トリニトロセルロース、セルロースのトリニトレート、トリニトレート）  −［Ｃ６Ｈ７Ｏ２（Ｏ−ＮＯ２）３］ｎ；
・エチレン−Ｎ，Ｎ’−ジニトラミン（ＥＤＮＡ）
ＮＯ２ＮＨ−（ＣＨ２）２−ＮＨＮＯ２；
・ニトログアニジン  （ＮＨ２）２Ｃ＝ＮＮＯ２；
・ニトロウレア  ＮＨ２ＣＯＮＨＮＯ２；
・Ｎ，Ｎ’−ビス（β，β，β−トリニトロエチル）カルバミド、又はＮ，Ｎ’−ビス（β，β，β−トリニトロエチル）ウレア（ＢＴＮＥＭ）
【００８９】
【化１８】
2010506821.tif 000020
【００９０】
・式：
【００９１】
【化１９】
2010506821.tif 000021
【００９２】
を有する爆薬：
Ｒ１＝−ＮＯ２；Ｒ２＝Ｒ３＝Ｒ４＝Ｒ５＝−Ｈの場合、Ｎ−ニトロアニリンである；
Ｒ１＝Ｒ４＝−ＮＯ２；Ｒ２＝−ＣＨ３；Ｒ３＝Ｒ５＝−Ｈの場合、４−ニトロフェニル−Ｎ−メチルニトロアミン（Ｎ−ニトロ−Ｎ−メチル４−ニトロアミン）である；
Ｒ１＝Ｒ５＝−Ｈ；Ｒ２＝−ＣＨ３；Ｒ３＝Ｒ４＝−ＮＯ２の場合、２，４−ジニトロ−Ｎ−メチルアニリンである；
Ｒ１＝Ｒ３＝Ｒ４＝−ＮＯ２；Ｒ２＝−ＣＨ３；Ｒ５＝−Ｈ；の場合、２，４−ジ−ニトロフェニル−Ｎ−メチルニトロアミン（Ｎ−ニトロ−Ｎ−メチル−２，４−ジニトロ−アニリン）である；
Ｒ１＝−Ｈ；Ｒ２＝−ＣＨ３；Ｒ３＝Ｒ４＝Ｒ５＝−ＮＯ２の場合、Ｎ−メチル−２，４，６−トリニトロアニリンである；
Ｒ１＝Ｒ３＝Ｒ４＝Ｒ５＝−ＮＯ２；Ｒ２＝−ＣＨ３の場合、Ｎ−メチル−Ｎ，２，４，６−テトラニトロアニリン（Ｎ−メチル−Ｎ−ニトロ−２，４，６−トリニトロアニリン）である；
Ｒ１＝−Ｈ；Ｒ２＝−ＣＨ３；Ｒ３＝Ｒ４＝Ｒ５＝−ＮＯ２の場合、Ｎ−メチル−２，４，６−トリニトロアニリンである；
Ｒ１＝Ｒ３＝Ｒ４＝Ｒ５＝−ＮＯ２；Ｒ２＝−ＣＨ３の場合、Ｎ−メチル−Ｎ，２，４，６−テトラニトロアニリン（Ｎ−メチル−Ｎ−ニトロ−２，４，６−トリニトロアニリン又は２，４，６−トリニトロアニリン−Ｎ−メチルニトロアミン、テトリル）である；
Ｒ１＝−Ｈ；Ｒ２＝−ＣＨ３；Ｒ３＝Ｒ４＝Ｒ５＝−ＮＯ２の場合、Ｎ−メチル−２，４，６−トリニトロアニリンである；
Ｒ１＝Ｒ３＝Ｒ４＝Ｒ５＝−ＮＯ２；Ｒ２＝−ＣＨ３の場合、Ｎ−メチル−Ｎ，２，４，６−テトラニトロアニリン（Ｎ−メチル−Ｎ−ニトロ−２，４，６−トリニトロアニリン又は２，４，６−トリニトロアニリン−Ｎ−メチルニトロアミン、テトリル）である；
Ｒ１＝Ｒ２＝−Ｈ；Ｒ３＝Ｒ４＝Ｒ５＝−ＮＯ２の場合、２，４，６−トリニトロアニリンである；
・式：
【００９３】
【化２０】
2010506821.tif 000022
【００９４】
を有する爆薬：
Ｒ１＝−ＯＨ；Ｒ２＝Ｒ４＝Ｒ６＝−ＮＯ２；Ｒ３＝Ｒ５＝−Ｈ；の場合、２，４，６−トリニトロフェノール（ピクリン酸）である；
Ｒ１＝ＣＬ；Ｒ２＝Ｒ４＝Ｒ６＝−ＮＯ２；Ｒ３＝Ｒ５＝−Ｈ；の場合、２，４，６−トリニトロクロロベンゼンである；
Ｒ１＝Ｒ３＝−ＯＨ；Ｒ２＝Ｒ４＝Ｒ６＝−ＮＯ２；Ｒ５＝−Ｈ；の場合、２，４，６−トリニトロレゾルシン（ＴＮＲ、スチフニン酸）である；
Ｒ１＝−ＯＣＨ３；Ｒ２＝Ｒ４＝Ｒ６＝−ＮＯ２；Ｒ５＝−Ｈ；の場合、２，４，６−トリニトロアニソール（２，４，６−トリニトロメトキシベンゼン）である；
Ｒ１＝Ｒ３＝ＮＨ２；Ｒ２＝Ｒ４＝Ｒ６＝−ＮＯ２；Ｒ５＝−Ｈ；の場合、１，３−ジアミノ−２，４，６−トリニトロベンゼン（２，４，６−トリニトロフェニレンジアミン）である；
Ｒ１＝Ｒ３＝Ｒ５＝ＮＨ２；Ｒ２＝Ｒ４＝Ｒ６＝−ＮＯ２の場合、１，３，５−トリアミノ−２，４，６−トリニトロベンゼンである；
Ｒ１＝ＣＨ３；Ｒ２＝Ｒ４＝Ｒ６＝−ＮＯ２；Ｒ３＝Ｒ５＝−Ｈ；の場合、２，４，６−トリニトロトルエン（トロチル、ＴＮＴ）である；
Ｒ１＝−ＣＨ３；Ｒ２＝Ｒ４＝Ｒ６＝−ＮＯ２；Ｒ３＝ＯＨ；Ｒ５＝−Ｈ；の場合、トリニトロクレオソールである；
Ｒ１＝Ｒ３＝Ｒ５＝−ＮＯ２；Ｒ２＝Ｒ４＝Ｒ６＝Ｈ；の場合、１，３，５−トリニトロベンゼンである；
Ｒ１＝−ＣＨ３；Ｒ２＝Ｒ４＝Ｒ６＝−ＮＯ２；Ｒ３＝
【００９５】
【化２１】
2010506821.tif 000023
【００９６】
；Ｒ５＝−Ｈ；の場合、１−メチル−３−ｔｅｒｔ−ブチル−２，４，６−トリニトロベンゼンである；
Ｒ１＝Ｒ３＝−ＣＨ３；Ｒ２＝Ｒ４＝Ｒ６＝−ＮＯ２；Ｒ５＝
【００９７】
【化２２】
2010506821.tif 000024
【００９８】
の場合、１，３−ジメチル−５−ｔｅｒｔ−ブチル−２，４，６−トリニトロベンゼンである；
Ｒ１＝Ｒ３＝−ＣＨ３；Ｒ２＝Ｒ４＝Ｒ６＝−ＮＯ２；Ｒ５＝−Ｈの場合、２，４，６−トリニトロメタ−キシレン（１，３−ジメチル−２，４，６−トリニトロベンゼン）である；
テトラニトロベンゼンの異性体；
・１，３，５−トリニトロ−１，３，５−トリアザシクロ−ヘキサン（ヘキソーゲン）
【００９９】
【化２３】
2010506821.tif 000025
【０１００】
・１，３，５，７−テトラニトロ−１，３，５，７−テトラアゾシクロオクタン（シクロテトラメチレン−テトラニトロアミン、オクトーゲン）
【０１０１】
【化２４】
2010506821.tif 000026
【０１０２】
・２，２’，４，４’，６，６’−ヘキサニトロジフェニル；
・２，２’，４，４’，６，６’−ヘキサニトロジフェニルスルフィド（ヘキシッド）；
・２，２’，４，４’，６，６’−ヘキサニトロジフェニルスルホン；
・２，２’，４，４’，６，６’−ヘキサニトロスチルベン；
・３，３’−ジアミノ−２，２’，４，４’，６，６’−ヘキサニトロ−ジフェニル；
・２，４，６−ヘキサニトロジフェニルアミン；
・トリニトロナフタレンの異性体；
・テトラニトロナフタレンの異性体；
・ニトロアルカン；
Ｃ（ＮＯ２）４−テトラニトロメタン；
ＣＨ２（ＮＯ２）ＣＨ２ＮＯ２−１，２−ジニトロエタン；
ＣＨ３ＣＨ（ＮＯ２）２−１，１−ジニトロエタン；
ＣＨ３ＣＨ（ＮＯ２）２−１，１，１−トリニトロエタン；
Ｃ２（ＮＯ２）６−ヘキサニトロエタン；
・Ｃ６（ＮＯ２）３（Ｎ３）３−トリニトロトリアジドベンゼン；
・Ｃ３Ｎ３（Ｎ３）３−シアヌルトリアジド。
【０１０３】
上記の（指定された）爆薬（組成物）及びそれらの混合物は、我々が提案する組成物（物質）、すなわち有機、無機酸及びそれらの塩、又は類似の性質を備え万能調整剤として使用されるその他の物質（組成物）｛同様に（意図的に）、それらを基に創製され、何らかの特定の目的に必要な特徴を備えた駆動力の新エネルギーシステムの様々なパラメーター及び性質に影響を及ぼすことができる｝と組み合わせられる（混合できる）可能性ある各種その他の爆薬（組成物）を制限するものではない。この場合、同じ爆発性組成物でもその活性化様式（方法）に応じて異なる分解速度を備えることができ、またデトネーション又は破壊的爆発に移行しない単純燃焼の性質を示すこともできる。すなわち、得られた上記の爆薬を基にして我々が提案する調整剤と組み合わせた（混合した）二成分爆発性組成物を、組成物中にピロキシリンを使用（適用）する又はしない（無ピロキシリン火薬）シングルベース(monobasic)火薬、ガス発生組成物の新規複合構造配合物の活性成分として適用（使用）することの可能性を実施する。
【０１０４】
特定クラスの爆薬（組成物）用の様々な複合構造化合物において、我々が提案する調整剤の動作原理は本質的に同じで、その原理は、これらの調整剤及び一定の条件下で類似の性質を有する物質（組成物）はガス状生成物を放出しながら崩壊しうるという点にある。系の中に十分な酸素が存在すると、それらの分解だけでなく、燃焼又はこれらのプロセスの組合せも起こりうる。従って、温度の著しい低下及び形成されたガスの体積の増加、そしてそれに付随してある圧力の比例的発生という熱力学（熱化学）効果が見られる［発火温度より低い又は等しい分解温度を有する組成物（物質）を調整剤として使用（適用）した場合、ガス温度の低下効果が最も顕著である］。考えている目的に合わせて設定された性質を有する駆動力の爆発的及び非爆発的エネルギーシステムを創製することへの我々のアプローチは、すべてのそのようなシステムにとっても一般的かつ普遍的である。そのような効果を用いることは、低腐食性で燃えにくい又は“冷たい火薬”を創製する場合にはかなり急務である。物質の性質がこれらの条件を満たさない場合、全体的な温度効果に増加が見られるであろう。我々が提案した爆薬用の調整剤は、調整剤／爆薬の比率が（０．１〜９９．９）：（９９．９〜０．１）に等しい場合に使用できる。
【０１０５】
我々が提案した複合構造（組成物）のエネルギー特性（性質）を増加（上昇）させるために、金属パワー添加剤（物質）をそれらに導入することも可能である。
【０１０６】
そのような爆発性及び非爆発性複合構造に可塑性を含む様々な粘稠性を付与するためには、結合剤、ゼラチン化（膨潤）剤及びポリマー組成物（物質）を使用することも可能である。
【実施例】
【０１０７】
発明の例示
各調整剤と各爆薬の混合物の、適合性及び爆薬の耐熱特性に及ぼす調整剤の影響に関する調査。調整剤の導入は、爆薬の耐熱パラメーターを低下させないだけでなく、それらの自己触媒的分解に対する阻害効果もあることに注意する。調査は、ＯＳＴ  Ｂ−８４−６１５−７２に従ってＤＴＣ法（示唆熱電対）を用い、強分解の開始温度（Ｔｂｉｄ）及びポリマー材料の相転移を確認するための装置を用いて実施した。
実施例１
提案している酸の影響についての主題的実施例は、グリセリントリニトレートに及ぼすシュウ酸（結晶水和物）の影響についてである。図１及び図２に、それぞれ質量比１：２及び１：５のシュウ酸（結晶水和物）とグリセリントリニトレートの混合物の分解のダイアグラムを示す。シュウ酸（結晶水和物）を導入してもグリセリントリニトレートの耐熱特性を悪化させないことが分かった。また、組成物は燃焼から爆発又はデトネーションに移行しにくいことも分かった。
【０１０８】
グリセリントリニトレート（ＯＳＴ  Ｂ  ８４−２３８６）とシュウ酸（結晶水和物）
【０１０９】
【数１】
2010506821.tif 000027
【０１１０】
の混合物を、それらのエチルアルコールＧＯＳＴ  １８３００−８７中溶液から、室温で混合し、さらに排気ケースに保管してフィルムが形成されるまでエチルアルコールを除去することによって製造した。混合によって温度、色及び沈降に変化は起きなかった。組成物を顕微鏡を使って調べたところ、シュウ酸（結晶水和物）含有量の増加に伴って不均一性に顕著な低下が認められた。構造の密度はρ＝１．７〜１．７５ｇ／ｃｍ３であった（高密度組成物）。
実施例２
提案している有機酸の塩の影響についての主題的実施例は、グリセリントリニトレートに及ぼすシュウ酸アンモニウム（結晶水和物）の影響についてである。図３に、それぞれ質量比１：１のシュウ酸アンモニウム（結晶水和物）とグリセリントリニトレートの混合物の分解のダイアグラムを示す。シュウ酸アンモニウム（結晶水和物）を導入してもグリセリントリニトレートの耐熱特性を悪化させないだけでなく、その自己触媒的分解に対する阻害作用も提供していることが分かった。また、組成物は燃焼から爆発又はデトネーションに移行しにくいことも分かった。混合物は実施例１と同様にして製造した。
実施例３
主題的実施例はシュウ酸（結晶水和物）とグリセリントリニトレートの混合物である。そこで、それぞれ次の質量比で製造した混合物、すなわち組成物Ｎｏ．１−１：５、組成物Ｎｏ．２−１：２、組成物Ｎｏ．３−１：１、組成物Ｎｏ．４−２：１を、Ｋａｓｔの衝撃試験装置ＯＳＴ  Ｂ  ８４−８９２−７４を用いて爆発特性について試験し（衝撃試験装置を用いた最低限の感受性衝撃を装置Ｎｏ．１及び装置Ｎｏ．２で）、次の結果を得た。
組成物Ｎｏ．１  荷重２ｋｇ及び高さＨ０＝２５０ｍｍ（装置Ｎｏ．２）。爆発の割合は８０％。
構造Ｎｏ．２  荷重２ｋｇ及び高さＨ０＝２５０ｍｍ（装置Ｎｏ．２）。爆発の割合は５５％。
組成物Ｎｏ．３  荷重１０ｋｇ及び高さＨ０＝２５０ｍｍ（装置Ｎｏ．２）。爆発の割合は６８％。
組成物Ｎｏ．４  荷重１０ｋｇ及び高さＨ０＝２５０ｍｍ（装置Ｎｏ．２）。爆発の割合は０％。
【０１１１】
グリセリントリニトレートのデトネーションは２ｋｇの荷重をＨ０＝４０ｍｍから落下させた場合に発生する［９］。
組成物Ｎｏ．３  荷重１０ｋｇ及び高さＨ０＞５００ｍｍ（装置Ｎｏ．１）。
組成物Ｎｏ．４  荷重１０ｋｇ及び高さＨ０＞５００ｍｍ（装置Ｎｏ．１）。
【０１１２】
組成物を、衝撃のない摩擦に対する最低限の感受性について（ＯＳＴ  Ｂ  ８４−８９４−７４）ディスク回転（摩擦）速度５２０回／分で試験した。その結果、衝撃のない摩擦に対する組成物Ｎｏ．３の最低限の感受性はＰ０＝＞３０００キログラム重／ｃｍ２、組成物Ｎｏ．４はＰ０＝＞３０００キログラム重／ｃｍ２になる。試験は１８℃の温度で実施した。
【０１１３】
組成物を衝撃シフト時の摩擦に対する最低限の感受性について試験した（ＯＳＴ  Ｂ  ８４−８９５−８３）。その結果、衝撃シフト時の摩擦に対する組成物Ｎｏ．３の最低限の感受性はＰ０＝７５０キログラム重／ｃｍ２、組成物Ｎｏ．４はＰ０＝１７５０キログラム重／ｃｍ２に等しかった。
【０１１４】
様々なパーセンテージのグリセリントリニトレートとシュウ酸（結晶水和物）のサンプルを試験した結果、機械的影響に対して低感受性を特徴とする物質の中でも５０％〜６０％のグリセリントリニトレートと５０％〜４０％のシュウ酸（結晶水和物）の混合物を高く評価することが可能である。従って、従来の安全対策を順守しながら、それを用いることが可能である。
【０１１５】
爆発的変換（デトネーション）の速度ＯＳＴ  Ｂ  ８４−９００７４、燃焼から爆発又はデトネーションへの移行のし易さについて組成物を試験した（ＯＳＴ  Ｂ  ８４−９００７４に従って、パイプの破壊の特徴をその寸法で示し、爆発プロセスを推定する）。その結果、シュウ酸（結晶水和物）とグリセリントリニトレートの含有量がそれぞれ４０％−６０％の組成物は以下の特徴を示した。密度ρ＝１．７５ｇ／ｃｍ３、デトネーションの速度Ｄ＝６３７０ｍ／ｓ、組成物は燃焼から爆発又はデトネーションに移行しにくい。シュウ酸（結晶水和物）とグリセリントリニトレートの含有量がそれぞれ６０％−４０％の組成物は以下の特徴を示した。密度ρ＝１．７ｇ／ｃｍ３、デトネーションの速度Ｄ＝８８０〜２２３０ｍ／ｓ、組成物は燃焼から爆発又はデトネーションに移行しにくい。
【０１１６】
可塑性を含む様々な粘稠性をそのような爆発性及び非爆発性組成物、例えば我々が提案する調整剤入りのシングルベース及びダブルベース複合材料中のピロキシリン、コロキシリン及びその他の組成物に付与するために、ゼラチン化（膨潤）剤及びポリマー組成物（物質）を使用した。主題的実施例として得られたのは次の構造である。シュウ酸（結晶水和物）７２％、
【０１１７】
【数２】
2010506821.tif 000028
【０１１８】
グリセリントリニトレート７％、燃焼速度０．５ｍｍ／ｓ及び燃焼温度〜８００°Ｋ（Ｐ＝４０及び温度２０℃で）、生成物は可塑性で成形しやすい；シュウ酸（結晶水和物）４２％、グリセリントリニトレート４２％、ＰＶＲ（ポリビニルブチラール樹脂）１６％、燃焼速度５ｍｍ／ｓ及び燃焼温度〜１５００°Ｋ（Ｐ＝４０及び温度２０℃で）。
【０１１９】
生成物は可塑性で成形しやすい。また、燃焼速度及び得られたガスの温度に調整剤の影響が表れている。
実施例４
ピロキシリンとメチレンジサリチル酸の塩の組成物も主題的実施例として得られた。これを質量の０．５％まで導入すると、火薬の安定性は標準８ｋＰａで３．５〜４．５ｋＰａになった。メチレンジサリチル酸のジアンモニウム塩を質量の２０％まで導入すると、形成されたガスの温度が７００〜８００°Ｋ下がる本質的な低下が見られたが、容認できる火薬の力は維持していた。
実施例５
得られたピロキシリンとレモン塩の組成物も主題的実施例となりうる。なぜならば、これを０．５質量％まで導入すると、火薬の安定性は標準８ｋＰａで３．５〜４．５ｋＰａになった。レモン塩を２０質量％まで導入すると、得られた組成物は１０３０〜１０６０ｋＪ／ｋｇのレベルで標準に匹敵する火薬の力を有していた。
【０１２０】
実施例１及び２で組成物の特徴に関して得られたデータは、得られたガスの構造の温度の制御を含む火薬の性質を調整するためにそれらを適用できる可能性を仮定させるものである。
【０１２１】
実験データと並行して、我々は得られた組成物の熱力学的計算値も得ている。これは結果の良好な収束を有し、実験データ及び特許請求の範囲を完全に確認するものであった。
【０１２２】
我々が最初に提案した全てのクラスの爆薬（組成物）用の駆動力の新動力システム用の調整剤の作用原理は本質的に同じであるということに基づいているが、個々の爆薬及びいずれかその他の組成物（物質）は、ある種の特有の性質（物理的、化学的、機械的及びその他）を有している。ということは、それらを基にした駆動力の新動力システムは一定の情報価値を有する独自の“ノウハウ”を有している。しかし、それらは総じて本発明の本質には影響せず、場合によってはそれ自体の傾向及び研究プロセスの時間の優先権の更なる保存を目的として開示するのは不適当なこともある。従って、我々が得たデータ及び一部の結果は、引用した爆発性組成物（物質）と組み合わせた我々提案の調整剤の使用条件にある程度依存及び収束しているが、必ずしも文中の材料の記載に概要が述べられているわけでも限定されているわけでもない。
文献
（引用文献及び審査の際に考慮された文献のリスト）
1.    E.S. Hotinsky. The course of organic chemistry. - Kharkov.: Publishing house of the Kharkov Red Labour Banner Award A.M.Gorky National University, 1959.-724 pp.
2.    B.A.Pavlov and A.P.Terentyev. The course of organic chemistry. - Moscow.: National scientific and technical publishing house of chemical literature, 1961. - 592 pp.
3.    A.E.Chichibabin. Principles of organic chemistry. Volume I. - Moscow.: National scientific and technical publishing house of chemical literature, 1963. - 912 pp.
4.    A.N. Nesmeyanov, N.A. Nesmeyanov. Principles of organic chemistry. Book one.-Moscow.: Publishing house "Khimiya", 1974.-624 pp.
5.    B.N. Stepanenko. The course of organic chemistry Part I. Aliphatic compositions. - Moscow.: Publishing house "Vysschaya shkola", 1976. - 448 pp.
6.    E.Ju. Orlova. Chemistry and technology of brisant substances. - Moscow.: Scientific and technical publishing house OBORONGIZ, 1960. - 396 pp.
7.    E.Ju. Orlova. Chemistry and technology of brisant substances. - Leningrad.: Publishing house "Khimiya", 1973. - 688 pp.
8.    Ju.A. Lebedev, E.A.Miroshnichenko, Ju.K. Knobel. Thermochemistry of nitro compounds. Publishing house "Nauka". Moscow. 1970. - 168 pp.
9.    OrlovaE.Ju.Chemistry and technology of brisant substances: Textbook for high schools - Ed., - 3rd ed., rev. - L.: Khimiya, 1981.-312 pp.
【図１】
2010506821.tif 000034
【図２】
2010506821.tif 000035
【図３】
2010506821.tif 000036
【国際調査報告】
2010506821.tif 000037
2010506821.tif 000038